(57)【要約】    【課題】  全長をあまり長くすることなく、容器内に別の塗布具等を収納することのできる液体用容器を提供する。    【解決手段】  第１塗布具１８の上部に、第２容器１６とともに内部空間を構成する冠部１８ｃと、内部に小空間を有する膨出部１９とを形成し、冠部１８ｃを第２容器１６の内部段差部１６ｃに圧入する。これにより、第２容器１６の内部空間を拡張することができ、膨出部１９内の小空間に第２塗布具２２の下端部を収納することができるので、液体用容器１０の全長を長くすることなく、第２塗布具２２を収納することができる。また、膨出部１９を、第１扱き部材２０の内側に配置したので、従来は無駄な空間であった第１扱き部材２０の内側空間を有効に利用することができる。【選択図】  図１
2005029243.tif 000002
【特許請求の範囲】
【請求項１】
液体を収容する第１容器と、前記第１容器の上部に着脱可能に取り付けられる第２容器と、前記第２容器の上部に着脱可能に取り付けられる蓋部材と、前記第２容器の下部に設けられて前記第１容器内の液体に浸漬される棒状の第１塗布具と、前記第１容器の上部に設けられて前記第１塗布具に付着した余分の液体を扱く第１扱き部材とを備え、前記第１塗布具が、上部に前記第２容器内の空間に連続して下垂する小空間を有する膨出部を備えたことを特徴とする液体用容器。
【請求項２】
前記第１塗布具の膨出部が、前記第１扱き部材の内側に配置されていることを特徴とする請求項１記載の液体用容器。
【請求項３】
前記第１塗布具の棒状のシャフト部の上部が、前記膨出部として形成されていることを特徴とする請求項１または２記載の液体用容器。
【請求項４】
前記シャフト部のほぼ全長にわたって前記膨出部が形成されていることを特徴とする請求項３記載の液体用容器。
【請求項５】
前記第１塗布具が、前記第２容器と一体に形成されていることを特徴とする請求項１ないし４のいずれかに記載の液体用容器。
【請求項６】
前記蓋部材が、前記第２容器内に収容される第２塗布具を備えたことを特徴とする請求項１ないし５のいずれかに記載の液体用容器。
【請求項７】
前記第２塗布具の先端部が前記第１塗布具の膨出部内に配置されていることを特徴とする請求項６記載の液体用容器。
【請求項８】
前記第２容器の上部に取り付けられて、前記第２塗布具に付着した余分の液体を扱く第２扱き部材を備えたことを特徴とする請求項６または７記載の液体用容器。
【発明の詳細な説明】
【技術分野】
【０００１】
本発明は、塗布具付きの液体用容器に関し、特に化粧具や文具のような小型の液体用容器に関する。
【背景技術】
【０００２】
例えば、化粧用のマスカラ液などは、一般に塗布ブラシ付きの容器に収納され、蓋に取り付けられた塗布ブラシを用いて塗布される。このような化粧具で問題となるのは、容器に収容された液体の揮発分が蒸発して固まりやすいことであり、このため、容器の内壁面に付着した液体の掻き取りを行い、内部の混練の状態と使用量の確認ができる液体用容器が提案されている（例えば、特許文献１参照）。
【特許文献１】特開２００２−１１２７３２号公報
【発明の開示】
【発明が解決しようとする課題】
【０００３】
しかしながら、従来の液体用容器では、内部の液体が固化しないように攪拌することが行われているものの、液体が少しでも固化してしまった場合には、廃棄するしかなかった。このような場合には、薄め液を加えれば再度使用可能となることがあるが、薄め液を別途購入する必要がある。また、化粧具の場合には、塗布した液体を落とすリムーバーを必要とするが、これらは別の容器に収納されている。さらに、化粧に際しては、アイライナー、マスカラ、アイシャドー、アイブロー、口紅等のための多くの液体用容器を必要とし、またそれぞれの使用に適したブラシを使用するので、結果として多くの化粧具が必要となる。このため、キャップの内側の内部空間を利用して、その中に塗布具や小綿棒等の小物を収容できる液体用容器も考案されていが、棒状の塗布具を収容するためには、ある程度の長さが必要となり、それだけキャップの長さが長くなるので、邪魔になったり、デザイン的に見栄えが悪いという問題があった。
【０００４】
本発明は、全長をあまり長くすることなく、容器内に別の塗布具等を収納することのできる液体用容器を提供することを目的とするものである。
【課題を解決するための手段】
【０００５】
上記課題を解決するために、本発明の液体用容器は、液体を収容する第１容器と、第１容器の上部に着脱可能に取り付けられる第２容器と、第２容器の上部に着脱可能に取り付けられる蓋部材と、第２容器の下部に設けられて第１容器内の液体に浸漬される棒状の第１塗布具と、第１容器の上部に設けられて第１塗布具に付着した余分の液体を扱く第１扱き部材とを備え、第１塗布具が、上部に第２容器内の空間に連続して下垂する小空間を有する膨出部を備えたことを特徴とする。この構成により、第２容器内の空間に連続して下垂する小空間を利用することができるので、この中に塗布具等の下端部を収納することにより、全長をあまり長くすることなく、容器内に別の塗布具等を収納することができる。
【０００６】
また、本発明の液体用容器は、第１塗布具の膨出部が、第１扱き部材の内側に配置されていることを特徴とする。この構成により、従来は利用されていなかった第１扱き部材の内側空間を有効に利用することができる。
【０００７】
また、本発明の液体用容器は、第１塗布具の棒状のシャフト部の上部が、膨出部として形成されていることを特徴とする。この構成により、第１塗布具のシャフト部の上部を膨出部として利用することができる。
【０００８】
また、本発明の液体用容器は、シャフト部のほぼ全長にわたって膨出部が形成されていることを特徴とする。この構成により、膨出部内部の小空間の容積を大きくとることができる。
【０００９】
また、本発明の液体用容器は、第１塗布具が、第２容器と一体に形成されていることを特徴とする。この構成により、組立工数および部品点数を削減することができる。
【００１０】
また、本発明の液体用容器は、蓋部材が、第２容器内に収容される第２塗布具を備えたことを特徴とする。この構成により、第２容器内に第１容器とは別の液体を収納したり、第１塗布具とは別の塗布具を収納することができる。
【００１１】
また、本発明の液体用容器は、第２塗布具の先端部が第１塗布具の膨出部内に配置されていることを特徴とする。この構成により、全長の長い塗布具でも第２容器内に収納することができる。
【００１２】
また、本発明の液体用容器は、第２容器の上部に取り付けられて、第２塗布具に付着した余分の液体を扱く第２扱き部材を備えたことを特徴とする。この構成により、第２塗布具を使用する際に第２塗布具に付着した余分の液体を除去することができる。
なお、第２塗布具は、スポイトのようなもので代替することが出きる。
【発明を実施するための最良の形態】
【００１３】
以下、本発明の実施の形態について図面を参照して説明する。
【００１４】
（実施の形態１）
図１は本発明の第１の実施の形態における液体用容器の断面を示している。液体用容器１０は、上部を開放されて第１の液体Ｌ１を収容する第１容器１２と、第１容器１２の上部に固定された連結部材１４と、連結部材１４を介して第１容器１２に脱着可能に取り付けられ、上部を開放されて第２の液体Ｌ２を収容する第２容器１６と、第２容器１６の下部に固定されて第１容器１２内の液体Ｌ１に浸漬される棒状の第１塗布具１８と、連結部材１４の内周に固定されて第１塗布具１８に付着した余分の液体を扱く第１扱き部材２０と、第２容器１６内の液体Ｌ２に浸漬される棒状の第２塗布具２２と、第２容器１６の上部に着脱可能に取り付けられる蓋部材２４と、第２容器１６の上部に固定されて、第２塗布具２２に付着した余分の液体を扱く第２扱き部材２６とを備えている。
【００１５】
第１容器１２は、透明なポリエチレン製の有底円筒状の成形品である。連結部材１４は、第１容器１２の内周に圧入されるポリプロピレン樹脂による円筒状の成形品で、その下端部には、第１塗布具１８の移動を許容する開口部を有するニトロブチレンゴム製のシール部材２７が一体に結合されている。連結部材１４の上部には、外周部に雄ねじ部１４ａが形成され、その内周部には第１扱き部材２０が嵌め込まれており、第１扱き部材２０と連結部材１４との間には、アルミニウムまたはポリプロピレン製の押えリング１４ｂが嵌め込まれている。第１扱き部材２０は、ニトロブチレンゴム製で、その下端部は肉厚が次第に薄くなって内側に突出するリップ部２０ａが形成され、上端部には外側方向に延びるフランジ部２０ｂが形成されて、連結部材１４の上端部の上に載置されている。このフランジ部２０ｂは、第２容器１６と連結部材１４との間のシール部材を兼ねている。リップ部２０ａの中心部には第１塗布具１８を扱きながら通過させるために、そのシャフト部１８ａよりも少し小さい径の穴が形成されている。第１塗布具１８の先端部にはナイロンブラシ１８ｂが挿着されている。
【００１６】
第２容器１６は、第１容器１２と外径が同じポリプロピレン樹脂による円筒状の成形品で、内周部下部に内径が大きくなった段差部１６ａを有し、その段差部１６ａに第１塗布具１８の冠部１８ｃが圧入され、第２容器１６の内部空間と連続した空間を構成している。さらに、冠部１８ｃの下部には、内部に小空間を有する小径の膨出部１９が下垂して形成され、第２容器１６の内部空間と連続している。この膨出部１９は、第１扱き部材２０の内側に対し隙間をもって配置されている。第２容器１６の段差部１６ａの下部には、第１塗布具１８の冠部１８ｃの下に、内周部に雌ねじ部２８ａを備えたポリプロピレン製の連結リング２８が圧入されている。
【００１７】
第２容器１６の上部は、外径が少し小さくなってその外周に雄ねじ部１６ｂが形成されている。雄ねじ部１６ｂの内周部には、第２扱き部材２６が嵌め込まれている。第２扱き部材２６は、ニトロブチレンゴム製で、その下端部は肉厚が次第に薄くなって内側に突出するリップ部２６ａが形成され、上端部には外側方向に延びるフランジ部２６ｂが形成されて、雄ねじ部１６ｂの上端部の上に載置されている。このフランジ部２６ｂは、第２容器１６と蓋部材２４との間のシール部材を兼ねている。リップ部２６ａの中心部には、第２塗布具２２を扱きながら通過させるために、そのシャフト部２２ａよりも少し小さい径の穴が形成されている。
【００１８】
蓋部材２４は、ポリプロピレン製のキャップ状の成形品で、その円筒部の内周面に雌ねじ部２４ａが形成され、上部裏面に第２塗布具２２のシャフト部２２ａが一体に成形され、その先端部にはナイロンブラシ２２ｂが挿着されている。
【００１９】
次に、本実施の形態における液体用容器１０の組立方法および使用方法について説明する。まず、第１容器１２の上部にシール部材２７を結合した連結部材１４を圧入し、その内周部に第１扱き部材２０を嵌め込む。次いで、第２容器１６の下部内部に第１塗布具１８の冠部１８ｃを圧入し、さらに連結リング２８を圧入し、第２容器１６の上部に第２扱き部材２６を嵌め込む。次に、第１容器１２内に注入器のノズル先端をシール部材２７の開口部から下に挿入して第１の液体Ｌ１を注入し、第２容器１６下部の連結リング２８の雌ねじ部２８ａを連結部材１４の雄ねじ部１４ａにねじ込む。次いで、第２容器１６内に注入器のノズル先端を第２扱き部材２６の開口部から下に挿入して第２の液体Ｌ２を注入し、蓋部材２４の雌ねじ部２４ａを第２容器１６の雄ねじ部１６ｂにねじ込む。これにより製品が組み立てられる。この状態では、第２塗布具２２の先端部が、第１塗布具１８の膨出部１９内の小空間に収納されることになる。
【００２０】
利用者は、第１容器１２内の液体を利用する場合は、第２容器１６を第１容器１２から取り外して持ち上げると、第１塗布具１８が一緒に持ち上がり、その間に第１塗布具１８のシャフト部１８ａおよびナイロンブラシ１８ｂに付着した余分の液体Ｌ１が、第１扱き部材２０のリップ部２０ａにより扱かれて掻き落とされる。顔面に対し必要な塗布を行い、ナイロンブラシ１８ｂに液体Ｌ１がなくなった場合には、第１塗布具１８を再び第１容器１２内に挿入して、以上の操作を必要回数だけ繰り返した後、第２容器１６を第１容器１２にねじ込んで作業を終了する。
【００２１】
利用者が、第２容器１６内の液体を利用する場合は、蓋部材２４を第２容器１６から取り外して持ち上げると、第２塗布具２２が一緒に持ち上がり、その間に第２塗布具２２のシャフト部２２ａおよびナイロンブラシ２２ｂに付着した余分の液体Ｌ２が、第２扱き部材２６のリップ部２６ａにより扱かれて掻き落とされる。顔面に対し必要な塗布を行い、ナイロンブラシ２２ｂに液体Ｌ２がなくなった場合には、第２塗布具２２を再び第２容器１６内に挿入して、以上の操作を必要回数だけ繰り返した後、蓋部材２４を第２容器１６にねじ込んで作業を終了する。
【００２２】
このように、本実施の形態１によれば、第１塗布具１８の上部に、第２容器１６とともに内部空間を構成する冠部１８ｃと、内部に小空間を有する膨出部１９とを形成し、冠部１８ｃを第２容器１６の内部段差部１６ｃに圧入したので、第２容器１６の内部空間を拡張することができ、膨出部１９内の小空間に第２塗布具２２の下端部を収納することができるので、液体用容器１０の全長を長くすることなく、第２塗布具２２を収納することができる。また、膨出部１９を、第１扱き部材２０の内側に配置したので、従来は無駄な空間であった第１扱き部材２０の内側空間を有効に利用することができる。
【００２３】
なお、本実施の形態１においては、第１容器１２に連結部材１４を挿着したが、連結部材１４を省略して、第１容器１２に雄ねじ部１４ａを一体に形成してもよい。また、第２容器に１６に連結リング２８を挿着したが、連結リング２８を省略して、第２容器１６に雌ねじ部２８ａを一体に形成してもよい。さらに、第１容器１２、第２容器１６および蓋部材２４の長さは自由に設定することができ、その外形形状や質感、色彩、透明性などを自由に設定することができる。
【００２４】
（実施の形態２）
図２は本発明の第２の実施の形態における液体用容器の断面を示している。本実施の形態２における液体用容器３０が、図１に示した液体用容器１０と大きく異なるのは、第２容器３２の内周部に第１塗布具３４の上部が一体に形成され、下垂する膨出部３５が、第１塗布具３４のシャフト部３４ａの半分程度まで延びていることである。さらに、この膨出部３５の延長に伴い、第２容器３２の長さを短くし、蓋部材２４に設けられた第２塗布具２２の下半分程度を、膨出部３５内の小空間に収容するようにしたことである。他の構成は、図１に示したものと同じなので、同じ構成要素には同じ符号を付して重複した説明は省略する。
【００２５】
このように、本実施の形態２によれば、膨出部３５を有する第１塗布具３４の上部を第２容器３２と一体に成形したので、実施の形態１のように第１塗布具を第２容器内に圧入する必要がなく、組立工数および部品点数を削減することができる。また、膨出部３５を長く形成して、その内部に第２塗布具２２の下端部を収納するようにしたので、第２容器３２ひいては液体用容器３０の全体の長さを短くすることができる。なお、膨出部３５を第１塗布具３４のシャフト部３４ａのほぼ全長にわたって形成してもよい。この場合には、膨出部３５の内部空間がさらに拡大延長され、第２の液体Ｌ２の収容量が増えるとともに、全長の長い第２塗布具でも利用することができる。    
【実施例１】
【００２６】
図３は本発明による液体用容器の第１の実施例を示している。図３において、（ａ）は第１容器１２と第２容器１６と蓋部材２４とを結合した状態を示し、（ｂ）は第１容器１２から第１塗布具１８を引き出した状態を示し、（ｃ）は第２容器１６から第２塗布具２２を引き出した状態を示している。第１容器１２に収納される第１の液体Ｌ１としてマスカラ液が使用され、第２容器１６に収納される第２の液体Ｌ２として同じマスカラ液が使用されている。この実施例１では、第１塗布具１８によりマスカラ液を睫毛に下塗りし、第１塗布具１８よりも小さな第２塗布具２２により細かな仕上げの塗布を行う。なお、この例では、蓋部材２４が、第２容器１６よりも小径に形成されているが、図１に示すように同じ径であってもよいことは勿論である。
【００２７】
別の使用例として、第１の液体Ｌ１としてマスカラ液を使用し、第２の液体Ｌ２としてリムーバー液を使用して、第１塗布具１８により睫毛に塗布されたマスカラ液を第２塗布具２２により除去するようにしてもよい。
【００２８】
さらに別の使用例として、第１の液体Ｌ１としてマスカラ液を使用し、第２の液体Ｌ２としてアイライナー液またはアイシャドー液を使用し、第２塗布具２２のナイロンブラシの代わりに、図３（ｄ）に示すような毛筆の筆先２２ｃ、または（ｅ）に示すようなフェルトペンの筆先２２ｄを使用して、異なる部位に対する異なる化粧を施すようにしてもよい。
【００２９】
さらに別の使用例として、第１の液体Ｌ１としてリップカラー液を使用し、第２の液体Ｌ２として縁取りリップ液またはリップグロス液を使用したり、第１の液体Ｌ１としてアイライナー液を使用し、第２の液体Ｌ２としてアイライナー液、マスカラ液、アイシャドー液、またはアイブロー液等を使用するようにしてもよい。
【実施例２】
【００３０】
図４は本発明による液体用容器の第２の実施例を示している。図４において、（ａ）は第１容器１２を瓶形状に形成し、連結部材１４を瓶口形状に形成し、第２容器１６および蓋部材２４を尖塔型のキャップ形状に形成して、それぞれを結合した状態を示し、（ｂ）は第１容器１２から第１塗布具１８を引き出した状態を示し、（ｃ）は第２容器１６から第２塗布具２２を引き出した状態を示している。第１容器１２に収納される第１の液体Ｌ１および第２容器１６に収納される第２の液体Ｌ２については、上記した実施例１と同様である。また、第２塗布具２２の先端部も、図４（ｄ）のような毛筆型、（ｅ）のようなフェルトペン型としてもよいことも実施例１と同様である。
【実施例３】
【００３１】
図５は本発明による液体用容器の第３の実施例を示している。この実施例においては、フェルトペン形の第２塗布具２２が、シール部材を介して第２容器１６の上部に固定され、第２塗布具２２の上部が第２容器１６の上部から突出し、下部が第２容器１６内の第２の液体Ｌ２に浸漬されている。したがって、第２の液体Ｌ２は、毛管現象により第２塗布具２２の先端部２２ａに達する。これに伴い、蓋部材２４Ａは、第２塗布具２２を覆う単なるキャップとして機能する。
【００３２】
図５において、（ａ）は第１容器１２と第２容器１６と蓋部材２４Ａとを結合した状態を示し、（ｂ）は第２容器１６から蓋部材２４Ａを取り外して第２塗布具２２の先端部２２ａを露出した状態を示し、（ｃ）は第２容器１６を第１容器１２から取り外して、第１塗布具１８を引き出した状態を示している。第１容器１２に収納される第１の液体Ｌ１としてマスカラ液を使用し、第２容器１６内に収納される第２の液体Ｌ２としてアイライナーを使用し、第１塗布具１８によりマスカラ液を睫毛に塗布し、第２塗布具２２によりアイラインを描く。
【００３３】
なお、本発明に使用される液体としては、顔料、染料等の色素を使用し、またはその他の添加要素を含む１液性または２液性以上の多液性の液体、特に高粘性液である。このような液体としては、アイライナー液、マスカラ液、アイシャドー液、アイブロー液、口紅、ファンデーション、ネイルエナメル、毛染め液等の化粧料の他、ポスターカラー、アルコール、いわゆるホワイトと呼ばれる修正液、または種々のカラーペイント等であってよい。また、添加要素としては、繊維状、粒状、泡状等の要素、ラメ、その他これに類するものならば、どのようなものであってもよい。さらに、粒状要素としては、内部に含有物を有するマイクロカプセル等であってもよい。
【００３４】
また、本発明による液体用容器の利用方法としては、上記実施例に限定されず、第１容器１２内に、リキッドタイプの口紅、アイライナー、マスカラ、ファンデーション、リップグロス、マニュキア、アイブロー、しみ隠し、汗取り等の他に、粉タイプのファンデーション、アイカラー、アイシャドー等を収納することができる。また、第２容器１６、３２内には、第１容器１２内の液体と同じで色違いのものを収納し、第２塗布具２２として細部塗布用の小さいものを使用するが、リムーバー、上塗り用液、洗顔用液等の別の液体との組み合せであってもよい。さらに、第２容器１６、３２内には、小物化粧用具、各種のブラシ類、塗布具効果用スペアー等を収納してもよい。
【産業上の利用可能性】
【００３５】
本発明の活用例としては、化粧品等の他に文具、おもちゃ、車両ボディや家具補修用のカラーペン等に対して有用である。
【図面の簡単な説明】
【００３６】
【図１】本発明の第１の実施の形態による液体用容器の組立断面図である。
【図２】本発明の第２の実施の形態による液体用容器の組立断面図である。
【図３】本発明による液体用容器の第１の実施例を示す斜視図である。
【図４】本発明による液体用容器の第２の実施例を示す斜視図である。
【図５】本発明による液体用容器の第３の実施例を示す斜視図である。
【符号の説明】
【００３７】
１０  液体用容器
１２  第1容器
１４  連結部材
１６  第２容器
１８  第1塗布具
１９  膨出部
２０  第1扱き部材
２２  第２塗布具
２４  蓋部材
２６  第２扱き部材
２７  シール部材
２８  連結リング
３０  液体用容器
３２  第２容器
３４  第１塗布具
３５  膨出部
Ｌ１  第１の液体
Ｌ２  第２の液体
【図１】
2005029243.tif 000003
【図２】
2005029243.tif 000004
【図３】
2005029243.tif 000005
【図４】
2005029243.tif 000006
【図５】
2005029243.tif 000007